(57)【要約】      （修正有）【課題】雨天時作業に間接活線工事の安全性を確保しつつ効率よく低コストで間接活線工事を進める。【解決手段】間接活線工事に際して用いられる間接活線工具１０であって、作業員によって把持される把持棒１１６、把持棒１１６に同軸に連結される絶縁性の操作棒１１及び操作棒１１に対して同心的に設けられた絶縁性の第２の雨水防除具１１３を有し、第２の雨水防除具１１３と操作棒１１との間の隙間から、操作棒１１の表面に沿って操作棒１１の先端部の方向に向かうエアーを吹き出すエアー吹出機構（エアーパイプ１８、ポンプ機構４０）を備える。また、間接活線工具１０は、第２の雨水防除具１１３よりも操作棒１１の先端側に操作棒１１に対して同心的に設けられる第１の雨水防除具１１２及び第２の雨水防除具１１３よりも操作棒１１の把持棒１１６の側に設けられる第３の雨水防除具１１４を備える。【選択図】図１
2017038422.tif 000002
【特許請求の範囲】
【請求項１】
間接活線工事に際して用いられる間接活線工具であって、
作業員によって把持される把持棒、
前記把持棒に同軸に連結される絶縁性の操作棒、
前記操作棒に対して同心的に設けられた絶縁性の第２の雨水防除具、及び、
前記操作棒と前記第２の雨水防除具との間の隙間から、前記操作棒の表面に沿って前記操作棒の先端部の方向に向かうエアーを吹き出すエアー吹出機構
を備えることを特徴とする間接活線工具。
【請求項２】
請求項１に記載の間接活線工具であって、
前記第２の雨水防除具よりも前記操作棒の先端側に前記操作棒に対して同心的に設けられる第１の雨水防除具、及び第２の雨水防除具よりも前記操作棒の前記把持棒側に設けられる第３の雨水防除具
をさらに備えることを特徴とする間接活線工具。
【請求項３】
請求項１又は２のいずれかに記載の間接活線工具であって、
前記エアー吹出機構は、前記操作棒の全周に亘ってエアーを万遍なく吐出する
ことを特徴とする間接活線工具。
【請求項４】
請求項１乃至３のいずれか一項に記載の間接活線工具であって、
前記エアー吹出機構は、前記隙間にエアーを導くエアーパイプ、及び前記エアーパイプに空気を送り込むポンプ機構を含む
ことを特徴とする間接活線工具。
【請求項５】
請求項２乃至４のいずれか一項に記載の間接活線工具であって、
前記操作棒、及び前記第１〜第３の雨水防除具のうちの少なくともいずれかに超音波振動を印加する超音波振動装置を備える
ことを特徴とする間接活線工具。
【発明の詳細な説明】
【技術分野】
【０００１】
この発明は、間接活線工具に関し、とくに雨天時作業に対応した間接活線工具に関する。
【背景技術】
【０００２】
電柱間に架設される送配電線等の工事を活線の状態で行う、いわゆる間接活線工事に際しては、作業員の安全性を確保すべく専用の工具（以下、間接活線工具と称する。）が用いられる。そしてこの間接活線工具には、雨中作業時の安全を確保するために水切り鍔等の構造が設けられる。
【０００３】
特許文献１には、先端部に挟持部が取り付けられた絶縁操作棒と、絶縁操作棒の基端部近傍に設けられた把持操作部を有し、把持操作部は挟持部の開閉動作を操作する構造を有する間接活線工法用仮圧縮工具であって、上記絶縁操作棒が、絶縁性の材料で構成された円柱状の棒状部材であり、所定の長さを有し、沿面放電や漏電を避けるための雨切や鍔を有することが記載されている。
【０００４】
特許文献２には、降雨の際に、作業員が安全に間接活線工事を行うことのできるようにすることを目的として抗された間接活線工具について記載されている。該間接活線工具は、間接活線工事の際に作業員によって把持される把持棒と、把持棒に同軸的に連結された絶縁性の操作棒とを有し、把持棒を把持して操作棒で間接活線工事を行うようにした間接活線工具であり、操作棒に対して同心的に取り付けられた絶縁性の第１の雨水除防具を有し、第１の雨水除防具は、上面、該上面と同心的に配置され上面よりも大きい下面、及び該上面と下面とを繋ぐ周面を有し、上面が操作棒の先端側に位置し、該上面の径は操作棒の径よりも大きく、かつ上面と下面とは下面直下に位置する操作棒の絶縁部分に雨水が伝わらないだけの距離だけ離れていると記載されている。
【先行技術文献】
【特許文献】
【０００５】
【特許文献１】特開２０１３−９５４６号公報
【特許文献２】特開２００９−２１９２５５号公報
【発明の概要】
【発明が解決しようとする課題】
【０００６】
ところで、間接活線工事を雨中で行う際は、作業員の安全を確保するために定められている作業可能な雨量の上限値（例えば５ｍｍ／ｈ）を遵守する必要がある。また作業の途中で雨量が上限値を超えた場合には作業を中止せざるを得ず、要員確保や工事日程の調整を再度行った上で現場に出向く必要があり、迅速な対応が困難となり、人的コスト、作業コストが増大する要因にもなっている。
【０００７】
本発明は、こうした背景に鑑みてなされたものであり、雨天時作業における間接活線工事において、安全性を確保しつつ効率よく低コストで工事を進めることができるようにすることを目的としている。
【課題を解決するための手段】
【０００８】
上記目的を達成するための本発明のうちの一つは、間接活線工事に際して用いられる間接活線工具であって、作業員によって把持される把持棒、前記把持棒に同軸に連結される絶縁性の操作棒、前記操作棒に対して同心的に設けられた絶縁性の第２の雨水防除具、及び、前記操作棒と前記第２の雨水防除具との間の隙間から、前記操作棒の表面に沿って前記操作棒の先端部の方向に向かうエアーを吹き出すエアー吹出機構を備えることとする。
【０００９】
本発明によれば、エアー吹出機構から吹き出すエアーにより、操作棒の表面に付着もしくは付着しようとする水滴を効率よく吹き飛ばすことができる。そのため、雨天時作業において間接活線工事の安全性を確保しつつ効率よく低コストで間接活線工事を進めることができる。
【００１０】
本発明のうちの他の一つは、上記間接活線工具であって、前記第２の雨水防除具よりも前記操作棒の先端側に前記操作棒に対して同心的に設けられる第１の雨水防除具、及び第２の雨水防除具よりも前記操作棒の前記把持棒側に設けられる第３の雨水防除具をさらに備えることとする。
【００１１】
本発明によれば、エアー吹出機構から吹き出すエアーと第１〜第３の雨水防除具とにより、把持棒の方向への雨水の浸入とを確実に防ぐことができる。また、これにより高圧充電部からの漏電回路が操作棒の表面に沿って形成されるのを防ぐことができる。
【００１２】
本発明のうちの他の一つは、上記間接活線工具であって、前記エアー吹出機構は、前記操作棒の全周に亘ってエアーを万遍なく吐出することとする。
【００１３】
本発明によれば、操作棒の全周に亘って万遍なく水滴を吹き飛ばすことができる。
【００１４】
本発明のうちの他の一つは、上記間接活線工具であって、前記エアー吹出機構は、前記隙間にエアーを導くエアーパイプと、エアーパイプに空気を送り込むポンプ機構とを含むこととする。
【００１５】
本発明によれば、簡素な構成にてエアー吹出機構を実現することができる。
【００１６】
本発明のうちの他の一つは、上記間接活線工具であって、前記操作棒、及び前記第１〜第３の雨水防除具の少なくともいずれかに超音波振動を印加する超音波振動装置を備えることとする。
【００１７】
本発明によれば、より確実に操作棒の表面への水滴の付着を防ぐことができる。
【００１８】
このように、操作棒、及び第１〜第３の雨水防除具の少なくともいずれかに超音波振動を印加することで、より確実に操作棒等の表面への水滴の付着を防ぐことができる。
【００１９】
その他、本願が開示する課題、及びその解決方法は、発明を実施するための形態の欄、及び図面により明らかにされる。
【発明の効果】
【００２０】
本発明によれば、雨天時作業における間接活線工事において、安全性を確保しつつ効率よく低コストで工事を進めることができる。
【図面の簡単な説明】
【００２１】
【図１】実施例１の間接活線工具１０（ストレーリンクトング）を示す図である。
【図２】第２の雨水防除具１１３及び第３の雨水防除具１１４の近傍を拡大して描いた間接活線工具１０の一部側面図である。
【図３】図２の間接活線工具１０のＡ−Ａ’線における断面図である。
【図４】実施例２の間接活線工具５０（絶縁ヤットコ）を示す図である。
【発明を実施するための形態】
【００２２】
以下、本発明の実施形態につき図面を参照しつつ詳細に説明する。尚、以下の説明において、同一又は類似の部分に同一の符号を付して重複した説明を省略することがある。
【実施例１】
【００２３】
図１は、実施例１として説明する、間接活線工事に際して電線等の線材の保持等を目的として用いられる間接活線工具１０（ストレーリンクトングとも称される。）の一例である。
【００２４】
同図に示すように、間接活線工具１０は、操作棒１１、電線保持部１２、操作棒１１の内部に操作棒１１と同軸に操作棒１１の長手方向に延出する、図示しない駆動軸、及び駆動軸を回転させるための操作機構を含む操作部１３などの構成を備える。
【００２５】
操作棒１１は、絶縁部１１１、第１〜第３の雨水防除具１１２，１１３，１１４、水切り部１１５、及び把持棒１１６を有する。
【００２６】
絶縁部１１１は、例えば、ＦＲＰ（fiber Reinforced Plastic）、絶縁樹脂（ポリエチレン、ポリエチレンテレフタレート、エポキシ等）、ガラスなどの絶縁体を用いて構成される。
【００２７】
第１〜第３の雨水防除具１１２，１１３，１１４は、例えば、ゴム製であり、夫々、操作棒１１の所定位置に設けられる。第１〜第３の雨水防除具１１２，１１３，１１４は、いずれも略同一形状を呈しており、操作棒１１の外径に略等しい内径を有する環状部１１２１，１１３１，１１４１と、該環状部１１２１，１１３１，１１４１の周囲に延出する、略裁頭円錐形状の裾部１１２２，１２３２，１１４２とを有する。
【００２８】
水切り部１１５は、絶縁部１１１に挿入されたチューブ状の部材であり、フッ素樹脂等の素材からなる。把持棒１１６は、工事に際して作業者が間接活線工具１０を支える際の持ち手部分となる。
【００２９】
電線保持部１２は、一端が操作棒１１の先端に固定された鉤（かぎ）状の爪部１２１と、操作棒１０の軸方向に移動可能なネジ軸体１２２とを有する。
【００３０】
操作部１３は、例えば、ハンドルや歯車等を用いて構成されており、ハンドルの回転力により前述した駆動軸を回転させるように作用する。駆動軸が回転することによりネジ軸体１２２が回転し、ネジ軸体１２２の頂部１２２１と爪部１２１と間の間隙（ギャップ）の大きさが変化する。即ち作業者はハンドルを操作して上記間隙の大きさを変化させつつ、上記間隙の間に電線等の線材を挟み込むことにより、電線等の線材を爪部１２１とネジ軸体１２２の頂部１２２１との間に保持させることができる。
【００３１】
第１の雨水防除具１１２は、雨天作業時における水切り鍔として機能する。
【００３２】
第２の雨水防除具１１３は、第１の雨水防除具１１２と同様に雨天作業時における水切り鍔として機能し、その環状部１１３１の近傍に、さらに操作棒１１に付着した水滴を除去するためのエアブロワの構成を備えている。
【００３３】
第３の雨水防除具１１４は、雨天作業時における水切り鍔として機能するとともに、作業時の安全境界を示す。第１〜第３の雨水防除具１１２，１１３，１１４のいずれについても、表面に撥水コーティング処理を施すことで、水滴の付着をより確実に防ぐことができる。
【００３４】
図２は第２の雨水防除具１１３と第３の雨水防除具１１４の近傍を拡大して描いた間接活線工具１０の一部側面図であり、図３は図２のＡ−Ａ’線における断面図である。これらの図に示すように、操作棒１１の、第２の雨水防除具１１３及び第３の雨水防除具１１４が設けられている部分の周囲には、操作棒１１の周囲と第２の雨水防除具１１３の環状部１１３１の内側面との間の間隙付近から吐出させるエアーを導くためのエアーパイプ１８が、操作棒１１の軸方向に沿って設けられている。図３に示すように、操作棒１１の周囲と第２の雨水防除具１１３の環状部１１３１の内側面との間の間隙には、シール剤１９１が充填されている。エアーパイプ１８の一部はシール剤１９１に埋設されている。
【００３５】
エアーパイプ１８は、例えば、第２の雨水防除具１１３の環状部１１３１付近においてその内径が拡大する構造であってもよい。また例えば、エアーパイプ１８は、第２の雨水防除具１１３の環状部１１３１付近において操作棒１１の全周に亘ってエアーが万遍なく吐出する構造であってもよい。
【００３６】
図１に戻り、エアーパイプ１８の他端はポンプ機構４０のチャンバー４１に接続されている。チャンバー４１は、ポンプ機構４０を構成する圧縮機４２に接続されている。エアーはポンプ機構４０によってエアーパイプ１８の吐出口から（例えば、風速８０〜１２０ｍ／ｓｅｃで）吐出される。尚、安全性向上のためにエアーパイプ１８やポンプ機構４０には接地線４５を接続してもよい。
【００３７】
以上の構成において、雨天作業時にはチャンバー４１からエアーパイプ１８にエアーを送り込むことでエアーパイプ１８の他端からエアーが吐出し、操作棒１１の表面に付着もしくは付着しようとする水滴を効率よく吹き飛ばすことができる。
【００３８】
エアーパイプ１８から吐出されるエアーは、操作棒１１の表面に沿って把持棒１１６から絶縁部１１１の方向に吹き抜ける。これにより第２の雨水防除具１１３から把持棒１１６の方向への雨水の浸入を確実に防ぐことができる。またこれにより高圧充電部からの漏電回路が操作棒１１の表面に沿って形成されるのを防ぐことができる。尚、本構成によれば、１００ｍｍ／ｈ程度の雨天時での間接活線工事も可能である。
【００３９】
以上の構成に加え、間接活線工具１０に超音波振動装置を付設し、例えば、操作棒１１、及び第１〜第３の雨水防除具１１２，１１３，１１４等に、夫々の表面に付着する水滴が効率よく除去されるように周波数が調節された超音波振動を印加するようにしてもよい。これにより操作棒１１及び第１〜第３の雨水防除具１１２，１１３，１１４の表面への水滴の付着をより確実に防ぐことができる。
【実施例２】
【００４０】
図４は、実施例２として説明する、間接活線工事の際に電線等の線材の保持等を目的として用いられる間接活線工具５０（絶縁ヤットコとも称される。）の一例である。
【００４１】
同図に示すように、間接活線工具５０は、操作棒５１、補助操作棒５２、把持操作部５３、及び挟持部５４等の構成を備える。
【００４２】
操作棒５１は、絶縁部５１１、第１〜第３の雨水防除具５１２，５１３，５１４、水切り部５１５、及び把持棒５１６を有する。
【００４３】
絶縁部５１１は、例えば、ＦＲＰ、絶縁樹脂（ポリエチレン、ポリエチレンテレフタレート、エポキシ等）、ガラスなどの絶縁体を用いて構成される。
【００４４】
第１〜第３の雨水防除具５１２，５１３，５１４は、例えば、ゴム製であり、夫々、操作棒５１の所定位置に設けられる。第１〜第３の雨水防除具５１２，５１３，５１４は、いずれも略同一形状を呈している。第１〜第３の雨水防除具５１２，５１３，５１４の構成は実施例１における第１〜第３の雨水防除具１１２，１１３，１１４と同様であるので説明を省略する。
【００４５】
水切り部５１５は、絶縁部５１１に挿入されたチューブ状の部材であり、フッ素樹脂等の素材からなる。把持棒５１６は、工事に際して作業者が間接活線工具５０を支える際の持ち手部分となる。
【００４６】
補助操作棒５２は、絶縁部５２１、第４〜第６の雨水防除具５２２，５２３，５２４、及び水切り部５２５を有する。
【００４７】
絶縁部５２１は、例えば、ＦＲＰ、絶縁樹脂（ポリエチレン、ポリエチレンテレフタレート、エポキシ等）、ガラスなどの絶縁体を用いて構成される。
【００４８】
第４〜第６の雨水防除具５２２，５２３，５２４は、例えば、ゴム製であり、夫々、補助操作棒５２の所定位置に設けられる。第４〜第６の雨水防除具５２２，５２３，５２４は、いずれも略同一の形状を呈している。第４〜第６の雨水防除具５２２，５２３，５２４の具体的な構成は実施例１における第１〜第３の雨水防除具１１２，１１３，１１４と同様であるので説明を省略する。
【００４９】
水切り部５２５は、絶縁部５２１に挿入されたチューブであり、フッ素樹脂等の素材からなる。
【００５０】
把持操作部５３は、操作棒５１（補助操作棒５２）の基端部近傍に設けられる。把持操作部５３は、操作レバー５３１、操作レバー５３１を軸支するピン（不図示）、支持金具（不図示）、解除レバー（不図示）等の構成を含む。操作レバー５３１には、補助操作棒５２が連結されている。作業員が操作レバー５３１を握り締めると補助操作棒５２が下がって挟持部５４が開くように構成されている。
【００５１】
挟持部５４は、２つの開閉片、即ち固定片５４１と可動片５４２とを有する。固定片５２１は略円弧状であり、金属（アルミニウム合金等）等の硬質の材料で形成され、その基部は操作棒５１（補助操作棒５２）の先端部に固定されている。可動片５４２は、略円弧状であり、固定片５４１と同様に金属（アルミニウム合金等）等の硬質の材料で形成されている。可動片５４２の端部は補助操作棒５２に連結され、作業員が把持操作部５３を操作することにより可動片５４２が開閉する。
【００５２】
実施例１と異なり、実施例２の間接活線工具５０の場合は、エアーパイプ１８がその途中に設けられた三叉の分岐管１８１により操作棒５１と補助操作棒５２の２方向に分岐している。
【００５３】
エアーパイプ１８の他端は、ポンプ機構４０のチャンバー４１に接続されている。チャンバー４１は、ポンプ機構４０を構成する圧縮機４２に接続されている。ポンプ機構４０により、エアーは、エアーパイプ１８の吐出口から（例えば、風速８０〜１２０ｍ／ｓｅｃで）吐出される。尚、安全性向上のため、エアーパイプ１８やポンプ機構４０には接地線４５を取り付けてもよい。
【００５４】
雨天作業時においては、チャンバー４１からエアーパイプ１８に空気を送り込むようにすることで、エアーパイプ１８の他端からエアーが吐出し、操作棒５１又は補助操作棒５２に付着もしくは付着しようとする水滴を効率よく吹き飛ばすことができる。
【００５５】
エアーパイプ１８から吐出されるエアーは、操作棒５１又は補助操作棒５２の表面に沿って把持棒５１６から絶縁部５１１及び絶縁部５２１の方向に吹き抜ける。これにより第２の雨水防除具５１３や第５の雨水防除具５２３から把持棒５１６の方向への雨水の浸入を確実に防ぐことができる。また高圧充電部からの漏電回路が操作棒５１又は補助操作棒５２の表面に沿って形成されるのを防ぐことができる。尚、本構成によれば、１００ｍｍ／ｈ程度の雨天時での間接活線工事も可能である。
【００５６】
尚、以上の構成に加え、間接活線工具５０に超音波振動装置を付設し、例えば、操作棒５１、補助操作棒５２、第１〜第３の雨水防除具５１２，５１３，５１４、及び第４〜第６の雨水防除具５２２，５２３，５２４等に、夫々の表面に付着する水滴が効率よく除去されるように周波数が調節された超音波振動を印加するようにしてもよい。これにより操作棒５１、補助操作棒５２、第１〜第３の雨水防除具５１２，５１３，５１４、及び第４〜第６の雨水防除具５２２，５２３，５２４、の夫々の表面への水滴の付着をより確実に防ぐことができる。
【００５７】
ところで、以上の説明は、本発明の理解を容易にするためのものであり、本発明を限定するものではない。本発明はその趣旨を逸脱することなく、変更、改良され得ると共に本発明にはその等価物が含まれることは勿論である。
【符号の説明】
【００５８】
１０  間接活線工具、１１  操作棒、１１２，１１３，１１４  第１乃至第３の雨水防除具、１１５  水切り部、１１６  把持棒、１２  電線保持部、１２１  爪部、１２２  ネジ躯体、１３  操作部、１８  エアーパイプ、４０  ポンプ機構、４１  チャンバー、４２  圧縮機、５０  間接活線工具、５１  操作棒、５１１  絶縁部、５１２，５１３，５１４  第１〜第３の雨水防除具、５１５  水切り部、５１６  把持棒、５２  補助操作棒、５２１  絶縁部、５２２，５２３，５２４  第４〜第６の雨水防除具、５２５  水切り部、５３  把持操作部、５３１  操作レバー、５４  挟持部、５４１  固定片、５４２  可動片
【図１】
2017038422.tif 000003
【図２】
2017038422.tif 000004
【図３】
2017038422.tif 000005
【図４】
2017038422.tif 000006